(57)【要約】【目的】単写または連写の設定を判別する。【構成】二段ストローク・タイプのシャッタ・ボタンの半押しがあると（時刻ｔ21），ＡＥ処理およびＡＦ処理が行われる。シャッタ・ボタンの全押しがあると（時刻ｔ23），撮像素子の露光が開始され，露光により得られた映像信号が撮像素子から出力される。映像信号から変換された画像データがディジタル・スチル・カメラの内蔵メモリに書き込まれていく（ＣＣＤ出力）。ＣＣＤ出力の終了時に（時刻ｔ26）シャッタ・ボタンが全押し状態であると連写と判断され，露光およびＣＣＤ出力が続けられ，全押し状態でないときには単写と判断される。モード・スイッチなどにより連写または単写を設定しなくとも連写または単写を行うことができる。【選択図】図３
2007243624.tif 000002
【特許請求の範囲】
【請求項１】
被写体を撮像し，被写体像を表す本被写体像データを出力する固体電子撮像素子，
半押しおよび全押しが可能な二段ストローク・タイプのシャッタ・レリーズ・ボタン，
上記シャッタ・レリーズ・ボタンの半押しに応答して，露光のための前処理を行う露光前処理回路，
上記シャッタ・レリーズ・ボタンの全押しに応答して，露光を開始して，被写体像を表す本被写体像データを出力するように上記固体電子撮像素子を制御する撮像制御手段，
上記固体電子撮像素子からの本被写体像データの出力終了時に上記シャッタ・レリーズ・ボタンが全押し状態かどうかを判定する判定手段，ならびに
上記判定手段により上記シャッタ・レリーズ・ボタンが全押し状態と判定されたことに応じて，連写シーケンスを行い，上記判定手段により上記シャッタ・レリーズ・ボタンが半押し状態と判定されたことに応じて単写シーケンスを行うようにディジタル・スチル・カメラを制御する制御手段，
を備えたディジタル・スチル・カメラ。
【請求項２】
上記固体電子撮像素子からの画像データの出力が終了することを示す終了直前フラグを発生する終了直前フラグ発生回路をさらに備え，
上記判定手段は，上記終了直前フラグ発生回路において発生した終了直前フラグにもとづいて上記判定処理を行うものである，
請求項１に記載のディジタル・スチル・カメラ。
【請求項３】
上記制御手段は，
上記判定手段により全押し状態と判定されている間，上記連写シーケンスによって，上記固体電子撮像素子を用いて連写を行い，被写体像を表す本被写体像データを連続して出力し，出力された本被写体像データを連写フォルダに格納して記録媒体に記録し，
上記単写シーケンスによって，上記固体電子撮像素子から出力された一駒の被写体像を表す本被写体像データを単写フォルダに格納して記録媒体に記録するものである，
請求項１に記載のディジタル・スチル・カメラ。
【請求項４】
上記制御手段は，
上記連写シーケンスによって上記判定手段により全押し状態と判定されている間，連写を行い，複数駒の被写体像を表す本被写体像データを連続して出力するように上記固体電子撮像素子を制御する連写制御手段，
上記連写制御手段にもとづいて上記固体電子撮像素子から出力された複数駒の被写体像を表す本被写体像データを連結して連結画像データを生成する生成手段，および
上記生成手段によって生成された連結画像データを１つのファイルに格納して記録媒体に記録する記録制御手段，
を備えた請求項１に記載のディジタル・スチル・カメラ。
【請求項５】
上記制御手段は，
上記連写シーケンスによって上記判定手段により全押し状態と判定されている間，連写を行い，複数駒の被写体像を表す本被写体像データを連続して出力するように上記固体電子撮像素子を制御する連写制御手段，
上記連写制御手段にもとづいて上記固体電子撮像素子から出力された複数駒の被写体像を表す本被写体像データから複数の縮小被写体像が含まれている一駒のインデックス画像を表すインデックス画像データを生成するインデックス画像データ生成手段，および
上記インデックス画像データ生成手段によって生成されたインデックス画像データを記録媒体に記録する第１の記録制御手段，
を備えた請求項１に記載のディジタル・スチル・カメラ。
【請求項６】
上記インデックス画像は，連写順に複数の縮小被写体像が配列されている，請求項５に記載のディジタル・スチル・カメラ。
【請求項７】
上記連写制御手段にもとづいて上記固体電子撮像素子から出力された複数駒の本被写体像データを連結して得られる連結画像データを，連結画像ファイルに格納して上記記録媒体に記録する第２の記録制御手段をさらに備え，
上記第１の記録制御手段は，
上記インデックス画像に含まれる複数の縮小被写体像を構成するそれぞれの縮小被写体像の位置を表すデータおよび上記第２の記録制御手段の制御のもとに記録される連結画像データを構成するそれぞれの本被写体像データの記録場所を表すデータを上記連結画像ファイルのヘッダに格納して上記記録媒体に記録するものである，
請求項５に記載のディジタル・スチル・カメラ。
【請求項８】
上記記録媒体に記録されている連結画像ファイルを読み取る連結画像ファイル読み取り手段，
上記連結画像ファイル読み取り手段によって読み取られた連結画像ファイルに格納されているインデックス画像データにより表されるインデックス画像を表示画面上に表示する表示装置，
移動指令入力手段，
上記表示画面上に表示されているインデックス画像を構成する複数の縮小被写体像のうちのいずれかの縮小被写体像を囲む指定枠を，上記移動指令入力手段からの移動指令に応じて移動自在に上記表示画面上に表示するように上記表示装置を制御する表示制御手段，
確定指令入力手段，および
上記確定指令入力手段から確定指令が入力したことに応じて，上記連結画像ファイルに格納されている連結画像データのうち上記指定枠において囲まれている縮小被写体像に対応する本被写体像データを抽出して，抽出した本被写体像データによって表される被写体像を上記表示画面上に表示するように上記表示装置を制御する第２の表示制御手段，
をさらに備えた請求項７に記載のディジタル・スチル・カメラ。
【請求項９】
上記制御手段は，
上記判定手段により全押し状態と判定されている間，上記連写シーケンスによって連写を行い，複数駒の被写体像を表す本被写体像データを連続して出力するように上記固体電子撮像素子を制御する連写制御手段，
上記連写制御手段の制御のもとに上記固体電子撮像素子から出力される複数駒の被写体像を表す本被写体像データのうち，最初の一駒目の被写体像を表す本被写体像データを圧縮するための圧縮パラメータを算出する圧縮パラメータ算出手段，
上記圧縮パラメータ算出手段によって算出された圧縮パラメータを用いて，上記複数駒の被写体像の最初の一駒目の被写体像および残りの駒の被写体像を表す本被写体像データを圧縮する圧縮手段，および
上記圧縮手段によって圧縮された上記複数駒の本被写体像を表す本被写体像データを記録媒体に記録する記録制御手段，
を備えた請求項１に記載のディジタル・スチル・カメラ。
【請求項１０】
単写モードの設定に応じて単写して一駒の被写体像を表す画像データを出力し，連写モードの設定に応じて被写体を連写して複数駒の被写体像を表す画像データを出力する固体電子撮像素子，
連写モードが設定されているか単写モードが設定されているかを判定するモード判定手段，および
上記モード判定手段によって単写モードが設定されていると判定されたことに応じて，上記固体電子撮像素子から出力された一駒の画像データを単写フォルダに格納して記録媒体に記録し，上記モード判定手段によって連写モードが設定されていると判定されたことに応じて，上記固体電子撮像素子から出力された複数駒の被写体像を表す画像データを連写フォルダに格納して記録媒体に記録する記録制御手段，
を備えたディジタル・スチル・カメラ。
【請求項１１】
連写モードの設定に応じて被写体を連写し，複数駒の被写体像を表す画像データを出力する固体電子撮像素子，
連写モードが設定されているかどうかを判定するモード判定手段，
上記モード判定手段によって連写モードが設定されていると判定されたことに応じて，上記複数駒の被写体像のそれぞれの被写体像の縮小画像が上記複数分含まれている一駒のインデックス画像を表すインデックス画像データを生成するインデックス画像データ生成手段，および
上記インデックス画像データ生成手段によって生成されたインデックス画像データを記録媒体に記録する記録制御手段，
を備えたディジタル・スチル・カメラ。
【請求項１２】
複数駒の被写体像のそれぞれの被写体像の縮小画像が上記複数分含まれている一駒のインデックス画像を表すインデックス画像データおよび上記複数駒の被写体像を表す複数駒分の本被写体像データが連結されて格納されている連結画像ファイルが記録されている記録媒体から連結画像ファイルを読み取る連結画像ファイル読み取り手段，
上記連結画像ファイル読み取り手段によって読み取られた連結画像ファイルに格納されているインデックス画像データにより表されるインデックス画像を表示画面上に表示する表示装置，
移動指令入力手段，
上記表示画面上に表示されているインデックス画像を構成する複数の縮小被写体像のうちのいずれかの縮小被写体像を囲む指定枠を，上記移動指令入力手段からの移動指令に応じて移動自在に上記表示画面上に表示するように上記表示装置を制御する第１の表示制御手段，
確定指令入力手段，および
上記確定指令入力手段から確定指令が入力したことに応じて，上記連結画像ファイルに連結されて格納されている本被写体像データのうち上記指定枠において囲まれている縮小被写体像に対応する本被写体像データを抽出して，抽出した本被写体像データによって表される本被写体像を上記表示画面上に表示するように上記表示装置を制御する第２の表示制御手段，
を備えた画像再生システム。
【請求項１３】
半押しおよび全押しが可能な二段ストローク・タイプのシャッタ・レリーズ・ボタンの半押しに応答して，露光のための前処理を行い，
上記シャッタ・レリーズ・ボタンの全押しに応答して，被写体を撮像し，被写体像を表す本被写体像データを得る固体電子撮像素子の露光を開始して，被写体像を表す本被写体像データを出力するように上記固体電子撮像素子を制御し，
上記固体電子撮像素子からの本被写体像データの出力終了時に上記シャッタ・レリーズ・ボタンが全押し状態かどうかを判定し，
上記シャッタ・レリーズ・ボタンが全押し状態と判定されたことに応じて，連写シーケンスを行い，上記シャッタ・レリーズ・ボタンが半押し状態と判定されたことに応じて単写シーケンスを行うようにディジタル・スチル・カメラを制御する，
ディジタル・スチル・カメラの制御方法。
【請求項１４】
単写モードの設定に応じて単写して一駒の被写体像を表す画像データを出力し，連写モードの設定に応じて被写体を連写して複数駒の被写体像を表す画像データを出力する固体電子撮像素子を備えたディジタル・スチル・カメラにおいて，
連写モードが設定されているか単写モードが設定されているかを判定し，
単写モードが設定されていると判定されたことに応じて，上記固体電子撮像素子から出力された一駒の画像データを単写フォルダに格納して記録媒体に記録し，連写モードが設定されていると判定されたことに応じて，上記固体電子撮像素子から出力された複数駒の被写体像を表す画像データを連写フォルダに格納して記録媒体に記録する，
ディジタル・スチル・カメラの制御方法。
【請求項１５】
連写モードの設定に応じて被写体を連写し，複数駒の被写体像を表す画像データを出力する固体電子撮像素子を備えたディジタル・スチル・カメラにおいて，
連写モードが設定されているかどうかを判定し，
連写モードが設定されていると判定されたことに応じて，上記複数駒の被写体像のそれぞれの被写体像の縮小画像が上記複数分含まれている一駒のインデックス画像を表すインデックス画像データを生成し，
生成されたインデックス画像データを記録媒体に記録する，
ディジタル・スチル・カメラの制御方法。
【請求項１６】
複数駒の被写体像のそれぞれの被写体像の縮小画像が上記複数分含まれている一駒のインデックス画像を表すインデックス画像データおよび上記複数駒の被写体像を表す複数駒分の本被写体像データが連結されて格納されている連結画像ファイルが記録されている記録媒体から連結画像ファイルを読み取り，
読み取られた連結画像ファイルに格納されているインデックス画像データにより表されるインデックス画像を表示装置の表示画面上に表示し，
上記表示画面上に表示されているインデックス画像を構成する複数の縮小被写体像のうちのいずれかの縮小被写体像を囲む指定枠を，移動指令に応じて移動自在に上記表示画面上に表示するように上記表示装置を制御し，
確定指令が入力したことに応じて，上記連結画像ファイルに連結されて格納されている本被写体像データのうち上記指定枠において囲まれている縮小被写体像に対応する本被写体像データを抽出して，抽出した本被写体像データによって表される本被写体像を上記表示画面上に表示するように上記表示装置を制御する，
画像再生システムの制御方法。
【発明の詳細な説明】
【技術分野】
【０００１】
この発明は，ディジタル・スチル・カメラおよび画像再生システムならびにそれらの制御方法に関する。
【背景技術】
【０００２】
ディジタル・スチル・カメラにおいては，単写の他に連写が可能なものもある。単写と連写とが可能なディジタル・スチル・カメラにおいては，モード設定スイッチが設けられており，単写モードが設定されることにより単写シーケンスとなり，連写モードが設定されることにより連写シーケンスとなる（特許文献１）。
【特許文献１】特開2000−295508号公報
【０００３】
しかしながら，モード設定スイッチを用いて単写モードまたは連写モードを設定しておかなければ，単写シーケンスまたは連写シーケンスが実行されない。
【発明の開示】
【０００４】
この発明は，モード設定スイッチを用いて単写モードまたは連写モードを設定しなくても単写シーケンスまたは連写シーケンスを実行できるようにすることを目的とする。
【０００５】
第１の発明によるディジタル・スチル・カメラは，被写体を撮像し，被写体像を表す本被写体像データを出力する固体電子撮像素子，半押しおよび全押しが可能な二段ストローク・タイプのシャッタ・レリーズ・ボタン，上記シャッタ・レリーズ・ボタンの半押しに応答して，露光のための前処理を行う露光前処理回路，上記シャッタ・レリーズ・ボタンの全押しに応答して，露光を開始して，被写体像を表す本被写体像データを出力するように上記固体電子撮像素子を制御する撮像制御手段，上記固体電子撮像素子からの本被写体像データの出力終了時に上記シャッタ・レリーズ・ボタンが全押し状態かどうかを判定する判定手段，ならびに上記判定手段により上記シャッタ・レリーズ・ボタンが全押し状態と判定されたことに応じて，連写シーケンスを行い，上記判定手段により上記シャッタ・レリーズ・ボタンが半押し状態と判定されたことに応じて単写シーケンスを行うようにディジタル・スチル・カメラを制御する制御手段を備えていることを特徴とする。
【０００６】
第１の発明は，上記ディジタル・スチル・カメラに適した制御方法も提供している。すなわち，この方法は，半押しおよび全押しが可能な二段ストローク・タイプのシャッタ・レリーズ・ボタンの半押しに応答して，露光のための前処理を行い，上記シャッタ・レリーズ・ボタンの全押しに応答して，被写体を撮像し，被写体像を表す本被写体像データを得る固体電子撮像素子の露光を開始して，被写体像を表す本被写体像データを出力するように上記固体電子撮像素子を制御し，上記固体電子撮像素子からの本被写体像データの出力終了時に上記シャッタ・レリーズ・ボタンが全押し状態かどうかを判定し，上記シャッタ・レリーズ・ボタンが全押し状態と判定されたことに応じて，連写シーケンスを行い，上記シャッタ・レリーズ・ボタンが半押し状態と判定されたことに応じて単写シーケンスを行うようにディジタル・スチル・カメラを制御するものである。
【０００７】
第１の発明によると，半押し（第一段階の押下）および全押し（第二段階の押下）が可能なシャッタ・レリーズ・ボタンが用いられる。シャッタ・レリーズ・ボタンの半押しに応答して，露光のための前処理（ＡＥ処理，ＡＦ処理）が行われ，シャッタ・レリーズ・ボタンの全押しに応答して，固体電子撮像素子の露光が開始され，被写体像を表す本被写体像データが出力される。本撮像データの出力終了時にシャッタ・レリーズ・ボタンが全押し状態かどうかが判定され，全押し状態であれば連写シーケンスが行われる。全押し状態でなければ単写シーケンスが行われる。シャッタ・レリーズ・ボタンの押し下げの状態に応じて連写シーケンスまたは単写シーケンスとなるので，モード設定スイッチを用いて連写モードまたは単写モードを設定する必要がない。
【０００８】
上記固体電子撮像素子からの画像データの出力が終了することを示す終了直前フラグを発生する終了直前フラグ発生回路をさらに備えてもよい。この場合，上記判定手段は，上記終了直前フラグ発生回路において発生した終了直前フラグにもとづいて上記判定処理を行うものとなろう。終了直前フラグの発生に応じて，判定処理を行うための準備ができるようになる。
【０００９】
上記制御手段は，たとえば，上記判定手段により全押し状態と判定されている間，上記連写シーケンスによって，上記固体電子撮像素子を用いて連写を行い，被写体像を表す本被写体像データを連続して出力し，出力された本被写体像データを連写フォルダに格納して記録媒体に記録し，上記単写シーケンスによって，上記固体電子撮像素子から出力された一駒の被写体像を表す本被写体像データを単写フォルダに格納して記録媒体に記録するものである。連写によって得られた本撮像データと単写によって得られた本撮像データとを別個のフォルダに格納して（整理して）記録媒体に記録できる。
【００１０】
上記制御手段は，上記連写シーケンスによって上記判定手段により全押し状態と判定されている間，連写を行い，複数駒の被写体像を表す本被写体像データを連続して出力するように上記固体電子撮像素子を制御する連写制御手段，上記連写制御手段にもとづいて上記固体電子撮像素子から出力された複数駒の被写体像を表す本被写体像データを連結して連結画像データを生成する生成手段，および上記生成手段によって生成された連結画像データを１つの画像ファイルに格納して記録媒体に記録する記録制御手段を備えるものでもよい。
【００１１】
また，上記制御手段は，上記連写シーケンスによって上記判定手段により全押し状態と判定されている間，連写を行い，複数駒の被写体像を表す本被写体像データを連続して出力するように上記固体電子撮像素子を制御する連写制御手段，上記連写制御手段にもとづいて上記固体電子撮像素子から出力された複数駒の被写体像を表す本被写体像データから複数の縮小被写体像が含まれている一駒のインデックス画像を表すインデックス画像データを生成するインデックス画像データ生成手段，および上記インデックス画像データ生成手段によって生成されたインデックス画像データを記録媒体に記録する第１の記録制御手段を備えてもよい。
【００１２】
上記インデックス画像は，たとえば，連写順に複数の縮小被写体像が配列されているものである。
【００１３】
上記連写制御手段にもとづいて上記固体電子撮像素子から出力された複数駒の本被写体像データを連結して得られる連結画像データを，連結画像ファイルに格納して上記記録媒体に記録する第２の記録制御手段をさらに備えてもよい。この場合，上記第１の記録制御手段は，上記インデックス画像に含まれる複数の縮小被写体像を構成するそれぞれの縮小被写体像の位置を表すデータおよび上記第２の記録制御手段の制御のもとに記録される連結画像データを構成するそれぞれの本被写体像データの記録場所を表すデータを上記連結画像ファイルのヘッダに格納して上記記録媒体に記録するものとなろう。
【００１４】
この場合，上記記録媒体に記録されている連結画像ファイルを読み取る連結画像ファイル読み取り手段，上記連結画像ファイル読み取り手段によって読み取られた連結画像ファイルに格納されているインデックス画像データにより表されるインデックス画像を表示画面上に表示する表示装置，移動指令入力手段，上記表示画面上に表示されているインデックス画像を構成する複数の縮小被写体像のうちのいずれかの縮小被写体像を囲む指定枠を，上記移動指令入力手段からの移動指令に応じて移動自在に上記表示画面上に表示するように上記表示装置を制御する表示制御手段，確定指令入力手段，および上記確定指令入力手段から確定指令が入力したことに応じて，上記連結画像ファイルに格納されている連結画像データのうち上記指定枠において囲まれている縮小被写体像に対応する本被写体像データを抽出して，抽出した本被写体像データによって表される被写体像を上記表示画面上に表示するように上記表示装置を制御する第２の表示制御手段をさらに備えることが好ましい。インデックス画像を構成する縮小被写体像に対応する本被写体像を再生して表示できるようになる。
【００１５】
上記制御手段は，上記判定手段により全押し状態と判定されている間，上記連写シーケンスによって連写を行い，複数駒の被写体像を表す本被写体像データを連続して出力するように上記固体電子撮像素子を制御する連写制御手段，上記連写制御手段の制御のもとに上記固体電子撮像素子から出力される複数駒の本被写体像を表す本被写体像データのうち，最初の一駒目の被写体像を表す本被写体像データを圧縮するための圧縮パラメータを算出する圧縮パラメータ算出手段，上記圧縮パラメータ算出手段によって算出された圧縮パラメータを用いて，上記複数駒の被写体像の最初の一駒目の被写体像および残りの駒の被写体像を表す本被写体像データを圧縮する圧縮手段，および上記圧縮手段によって圧縮された上記複数駒の本被写体像を表す本被写体像データを記録媒体に記録する記録制御手段を備えるものでもよい。連写の一駒目の本被写体像から算出された圧縮パラメータを用いて連写により得られた本被写体像の二駒目以降の本被写体像について圧縮するので，二駒目以降の本被写体像について圧縮パラメータの算出が不要となる。迅速に圧縮処理ができる。
【００１６】
第２の発明によるディジタル・スチル・カメラは，単写モードの設定に応じて単写して一駒の被写体像を表す画像データを出力し，連写モードの設定に応じて被写体を連写して複数駒の被写体像を表す画像データを出力する固体電子撮像素子，連写モードが設定されているか単写モードが設定されているかを判定するモード判定手段，および上記モード判定手段によって単写モードが設定されていると判定されたことに応じて，上記固体電子撮像素子から出力された一駒の画像データを単写フォルダに格納して記録媒体に記録し，上記モード判定手段によって連写モードが設定されていると判定されたことに応じて，上記固体電子撮像素子から出力された複数駒の被写体像を表す画像データを連写フォルダに格納して記録媒体に記録する記録制御手段を備えていることを特徴とする。
【００１７】
第２の発明は，上記ディジタル・スチル・カメラに適した制御方法も提供している。すなわち，この方法は，単写モードの設定に応じて単写して一駒の被写体像を表す画像データを出力し，連写モードの設定に応じて被写体を連写して複数駒の被写体像を表す画像データを出力する固体電子撮像素子を備えたディジタル・スチル・カメラにおいて，連写モードが設定されているか単写モードが設定されているかを判定し，単写モードが設定されていると判定されたことに応じて，上記固体電子撮像素子から出力された一駒の画像データを単写フォルダに格納して記録媒体に記録し，連写モードが設定されていると判定されたことに応じて，上記固体電子撮像素子から出力された複数駒の被写体像を表す画像データを連写フォルダに格納して記録媒体に記録するものである。
【００１８】
第２の発明によると，連写によって得られた本撮像データと単写によって得られた本撮像データとを別個のフォルダに格納して（整理して）記録媒体に記録できる。
【００１９】
第３の発明によるディジタル・スチル・カメラは，連写モードの設定に応じて被写体を連写し，複数駒の被写体像を表す画像データを出力する固体電子撮像素子，連写モードが設定されているかどうかを判定するモード判定手段，上記モード判定手段によって連写モードが設定されていると判定されたことに応じて，上記複数駒の被写体像のそれぞれの被写体像の縮小画像が上記複数分含まれている一駒のインデックス画像を表すインデックス画像データを生成するインデックス画像データ生成手段，および上記インデックス画像データ生成手段によって生成されたインデックス画像データを記録媒体に記録する記録制御手段を備えている。
【００２０】
第３の発明は，上記ディジタル・スチル・カメラに適した制御方法も提供している。すなわち，この方法は，連写モードの設定に応じて被写体を連写し，複数駒の被写体像を表す画像データを出力する固体電子撮像素子を備えたディジタル・スチル・カメラにおいて，連写モードが設定されているかどうかを判定し，連写モードが設定されていると判定されたことに応じて，上記複数駒の被写体像のそれぞれの被写体像の縮小画像が上記複数分含まれている一駒のインデックス画像を表すインデックス画像データを生成し，生成されたインデックス画像データを記録媒体に記録するものである。
【００２１】
第３の発明によると，連写モードが設定されていると，連写により得られた複数駒の被写体像の縮小画像が複数分含まれている一駒のインデックス画像を表すインデックス画像データが生成される。生成されたインデックス画像データが記録媒体に記録される。インデックス画像データによって表されるインデックス画像から，連写によって得られた複数駒の被写体像の内容が分かる。
【００２２】
第４の発明による画像再生システムは，複数駒の被写体像のそれぞれの被写体像の縮小画像が上記複数分含まれている一駒のインデックス画像を表すインデックス画像データおよび上記複数駒の被写体像を表す複数駒分の本被写体像データが連結されて格納されている連結画像ファイルが記録されている記録媒体から連結画像ファイルを読み取る連結画像ファイル読み取り手段，上記連結画像ファイル読み取り手段によって読み取られた連結画像ファイルに格納されているインデックス画像データにより表されるインデックス画像を表示画面上に表示する表示装置，移動指令入力手段，上記表示画面上に表示されているインデックス画像を構成する複数の縮小被写体像のうちのいずれかの縮小被写体像を囲む指定枠を，上記移動指令入力手段からの移動指令に応じて移動自在に上記表示画面上に表示するように上記表示装置を制御する第１の表示制御手段，確定指令入力手段，および上記確定指令入力手段から確定指令が入力したことに応じて，上記連結画像ファイルに連結されて格納されている本被写体像データのうち上記指定枠において囲まれている縮小被写体像に対応する本被写体像データを抽出して，抽出した本被写体像データによって表される本被写体像を上記表示画面上に表示するように上記表示装置を制御する第２の表示制御手段を備えていることを特徴とする。
【００２３】
第４の発明は，上記画像再生システムに適した制御方法も提供している。すなわち，この方法は，複数駒の被写体像のそれぞれの被写体像の縮小画像が上記複数分含まれている一駒のインデックス画像を表すインデックス画像データおよび上記複数駒の被写体像を表す複数駒分の本被写体像データが連結されて格納されている連結画像ファイルが記録されている記録媒体から連結画像ファイルを読み取り，読み取られた連結画像ファイルに格納されているインデックス画像データにより表されるインデックス画像を表示装置の表示画面上に表示し，上記表示画面上に表示されているインデックス画像を構成する複数の縮小被写体像のうちのいずれかの縮小被写体像を囲む指定枠を，移動指令に応じて移動自在に上記表示画面上に表示するように上記表示装置を制御し，確定指令が入力したことに応じて，上記連結画像ファイルに連結されて格納されている本被写体像データのうち上記指定枠において囲まれている縮小被写体像に対応する本被写体像データを抽出して，抽出した本被写体像データによって表される本被写体像を上記表示画面上に表示するように上記表示装置を制御するものである。
【００２４】
第４の発明によると，被写体像の縮小画像が複数分含まれている一駒のインデックスが表示される。複数の縮小被写体像のうちのいずれかの縮小画像が指定枠によって囲まれ，かつ確定指令が入力すると，その指定枠によって囲まれている縮小画像に対応する本被写体像データが記録媒体から読み取られ，表示画面に表示される。インデックス画像は，一駒の画像であるから，複数駒のサムネイル画像を表示する場合に比べて比較的簡単に表示できる。
【実施例】
【００２５】
図１は，この発明の実施例を示すもので，ディジタル・スチル・カメラの電気的構成を示すブロック図である。
【００２６】
ディジタル・スチル・カメラには，バッテリィ23が含まれており，このバッテリィ23から電源回路24にバッテリィ23の電圧が供給される。電源回路24によって，ディジタル・スチル・カメラを構成する各回路に電源が供給される。
【００２７】
ディジタル・スチル・カメラには，各種ボタン類２が含まれており，この各種ボタン類２から出力される指令信号は，P/SIO（パラレル／シリアル・インプット・アウトプット・ユニット）に入力する。このP/SIO９に入力した指令信号は，ＭＰＵ（Micro Processing Unit）８に入力する。各種ボタン類２には，二段ストローク・タイプのシャッタ・レリーズ・ボタン，十字ボタン，実行ボタン，メニュー／戻りボタン，テレ・ワイド・ボタン，ストロボ・ボタン，モード・ダイアル，電源ボタンなどがある。
【００２８】
また，ディジタル・スチル・カメラには，ストロボ回路１が含まれており，ストロボ・ボタンを用いたストロボ発光モードの設定に応じてストロボ回路１が発光する。さらに，ディジタル・スチル・カメラには，所定のデータを記憶するＲＯＭ（リード・オンリ・メモリ）15およびＤＭＡ（ダイレクト・メモリ・アクセス）回路22が含まれている
【００２９】
モード・ダイアルによって撮像モードが設定されると，撮像レンズ４によって被写体像が撮像素子５の受光面上に結像する。撮像レンズ４は，レンズ駆動／センサ３によって，その位置が制御される。タイミング発生回路６から出力されるタイミング信号にもとづいて，撮像素子５から被写体像を表す映像信号が出力される。撮像素子４から出力した映像信号は，アナログ／ディジタル変換回路７においてディジタル画像データに変換される。変換されたディジタル画像データは，信号処理回路10に入力する。
【００３０】
ディジタル画像データは，信号処理回路10においてＹＣ変換，ガンマ補正，白バランス調整などの所定の信号処理が行われ，撮影画像ＹＣデータとして出力される。信号処理回路10から出力された撮影画像ＹＣデータは，表示制御回路18によってタッチパネル付きＬＣＤ（液晶表示装置）21に与えられる。ＬＣＤ21の表示画面上に撮像によって得られた被写体像が表示される。
【００３１】
シャッタ・レリーズ・ボタンの第一段階の押下（半押し）があると，上述のようにして得られた画像データにもとづいてＡＥ（自動露光制御）処理およびＡＦ（自動合焦制御）処理が行われる。適正な露光量となるように，撮像素子５の露光時間が制御され，かつ撮像素子５の受光面上に被写体像が合焦するように撮像レンズ４が位置決めされる。
【００３２】
シャッタ・レリーズ・ボタンの第二段階の押下（全押し）があると，撮像素子５への露光が開始され，ＡＥ処理により決定された時間，露光される。上述のように，被写体像を表す映像信号が撮像素子５から出力される。映像信号は，上述のように，ディジタル画像データに変換されて，信号処理回路10に入力する。信号処理回路10においてＹＣ変換されて得られた撮影画像ＹＣデータは，メモリ制御回路13の制御により内蔵メモリ14に一時的に記憶される。
【００３３】
撮影画像ＹＣデータは，内蔵メモリ14から読み出されて静止画圧縮／伸張回路11に入力する。静止画圧縮／伸張回路11において，内蔵メモリ14から読み出された画像データが圧縮される。圧縮された画像データは，ＭＰＵによってファイル形式にされてメディア制御回路16によってメモリ・カード17に記録される。また，この実施例によるディジタル・スチル・カメラにおいては，動画データを記録することもできる。このために，ディジタル・スチル・カメラには動画データを圧縮および伸張するための動画圧縮／伸張回路12が含まれている。
【００３４】
この実施例によるディジタル・スチル・カメラにおいては，メモリ・カード17に記録されている圧縮画像ファイルを再生することもできる。静止画の圧縮画像ファイルを再生するときには，メモリ・カード17に記録されている静止画ファイルが読み取られ，静止画圧縮／伸張回路11に与えられる。静止画圧縮／伸張回路11によって，圧縮画像ファイルに格納されている静止画の圧縮画像データが伸張される。伸張された画像データが表示制御回路18によって，ＬＣＤ21に与えられることにより，ＬＣＤ21の表示画面上にメモリ・カード17から読み取られた静止画ファイルによって表される静止画が表示される。
【００３５】
詳しくは後述するように，この実施例によるディジタル・スチル・カメラにおいては，９駒のサムネイル画像が一駒の画像とされるインデックス画像が生成される。インデックス画像には，９駒のサムネイル画像に対応するサムネイル画像部分（縮小被写体像）が含まれている。それぞれのサムネイル画像部分がカーソルで囲まれ，囲まれたサムネイル画像部分が選択されることにより，その選択されたサムネイル画像部分に対応する本画像がＬＣＤ21の表示画面に表示される。このようなインデックス画像の有無を判定するための判定回路19およびカーソルを生成するための生成回路20が表示制御回路19に含まれている。
【００３６】
図２および図３は，シャッタ・レリーズ・ボタンが押された時のタイム・チャートである。
【００３７】
図２は，単写モードと判定されるときのタイム・チャートである。
【００３８】
時刻ｔ11においてシャッタ・レリーズ・ボタンの第一段階の押下があると（Ｓ１オン），時刻ｔ11からｔ12の間にＡＥ処理が行われ，時刻ｔ12からｔ13までの間にＡＦ処理（ＡＥ処理とＡＦ処理とを合わせてＳ１処理ということにする）が行われる。時刻ｔ13においてシャッタ・レリーズ・ボタンの第二段階の押下があると（Ｓ２オン），時刻ｔ13から時刻ｔ14まで撮像素子が露光される。時刻ｔ14において露光が終了すると，撮像素子５から映像信号が出力され，上述のように内蔵メモリ14に画像データが一時的に記録される。時刻ｔ16になると，内蔵メモリ14への画像データの記録は終了する。
【００３９】
内蔵メモリ14への画像データの記録が終了する時刻ｔ16の直前の時刻ｔ15においてＣＣＤ出力終了直前フラグがＭＰＵ８から発生する。このフラグは，撮像素子５からの映像信号出力（内蔵メモリ14への画像データの記録）がもうすぐ終了することを示すものである。ＣＣＤ出力終了直前フラグが発生したことに応じて，ＣＣＤ出力の終了時にシャッタ・レリーズ・ボタンの第二段階が押し下げられている状態かどうかが確認される。ＣＣＤ出力の終了時である時刻ｔ16にいてシャッタ・レリーズ・ボタンの第二段階の押下がされていなければ（Ｓ２オフ），単写モードと判定される。すると，内蔵メモリ14に記録されている画像データが内蔵メモリ14から読み取られ，その後の信号処理が行われる。
【００４０】
ＣＣＤ出力終了直前フラグは，撮像素子５を制御するタイミング発生回路６から与えられる割込み信号にもとづいて，経験的にＣＣＤ出力が終了すると考えられる時点に設定することができよう。
【００４１】
図３は，連写モードと判定されるときのタイム・チャートである。
【００４２】
上述したのと同様に，時刻ｔ21において，Ｓ１オンとなると，時刻ｔ22までの間にＡＥ処理が行われ，時刻ｔ22からｔ23までの間にＡＦ処理が行われる。時刻ｔ23においてＳ２オンとなると，時刻t24までの間に露光が行われる。時刻ｔ25において，ＣＣＤ出力終了直前フラグが発生し，時刻ｔ26においてＳ２がオンの状態に維持されているかどうかが確認される。
【００４３】
時刻ｔ26においてＳ２がオンの状態にあると，連写モードにあると判定される。すると，時刻ｔ26からｔ27の間に再び露光が行われ，映像信号が得られる。時刻ｔ27から，ＣＣＤ出力が再び開始され，時刻ｔ28において再びＣＣＤ出力終了直前フラグが発生する。時刻ｔ29において，ＣＣＤ出力が終了すると，その時刻ｔ29において，Ｓ２がオン状態に維持されているかどうか再び確認される。Ｓ２がオン状態に維持されていると，再び露光が行われる。このように，ＣＣＤ出力が終了した時点でＳ２がオン状態に維持されていると連写モードと判定され，露光およびＣＣＤ出力が繰り返される。ＣＣＤ出力が終了した時点でＳ２がオフであれば，上述した単写モードのように，内蔵メモリ14に書き込まれた画像データが読み取られて信号処理が行われることとなる。
【００４４】
このように，単写モードの設定ボタンおよび連写モードの設定ボタンが無くとも，シャッタ・レリーズ・ボタンの第二段階の押下状態に応じて単写モードまたは連写モードを設定することができるようになる。
【００４５】
図４は，メモリ・カード17に生成されるディレクトリの一部を示している。
【００４６】
ルート・ディレクトリの下層に画像フォルダが生成されている。この画像フォルダの下層（フォルダ内）には，単写フォルダ，連写フォルダなどが生成されている。単写フォルダは，単写モードと判定されたときに得られた画像ファイル（画像データ）が格納されるフォルダである。単写フォルダには，単写画像ファイル１〜５などが格納されている。連写フォルダは，連写モードと判定されたときに得られた画像ファイルが格納されるフォルダである。連写フォルダには，連写画像ファイル１〜５などが格納されている。
【００４７】
図５および図６は，ディジタル・スチル・カメラの処理手順を示すフローチャートである。
【００４８】
上述のように，撮像モードが設定され，シャッタ・レリーズ・ボタンのＳ１がオンとなると（ステップ31でＹＥＳ），上述したように，ＡＥ処理およびＡＦ処理が行われる（ステップ32）。その後，シャッタ・レリーズ・ボタンのＳ２がオンとなると（ステップ33でＹＥＳ），撮像素子への露光およびＣＣＤ出力が行われる（ステップ34）。上述したＣＣＤ出力終了直前フラグが発生すると（ステップ35でＹＥＳ），ＣＣＤ出力がもうすぐ終了することとなる。このために，ＣＣＤ出力の終了時点でシャッタ・レリーズ・ボタンのＳ２がオンとなっているかどうかの確認処理の準備動作が行われる。
【００４９】
ＣＣＤ出力の終了時点でＳ２がオンとなっていると（ステップ36でＹＥＳ），連写フォルダを生成するために連写フラグがセットされる（ステップ37）。つづいて，連写により一定周期で得られる画像データの内蔵メモリ14での書き込み場所を設定するためにＣＣＤ取り込みメモリ・アドレスが更新される（ステップ38）。再び露光およびＣＣＤ出力が行われ（ステップ34），ＣＣＤ出力の終了時点でＳ２がオンとなっていれば（ステップ36でＹＥＳ），ステップ37，38，34，35の処理が繰り返される。
【００５０】
ＣＣＤ出力終了時においてシャッタ・レリーズ・ボタンのＳ２がオンでなければ（ステップ36でＮＯ），連写モードは終了した（または連写モードではない）と考えられる。連写フラグがセットされていなければ，ＣＣＤ出力終了時にＳ２がオンの状態が一度も無く，連写モードとならなかったと考えられるので単写フラグがセットされる（図６，ステップ39）。連写フラグがセットされていると単写フラグのセット処理はスキップされるのはいうまでもない。
【００５１】
連写フラグがセットされていると（ステップ40），メモリ・カード17にすでに連写フォルダが生成されているかどうかが確認される（ステップ41）。連写フォルダが生成されていなければ（ステップ41でＮＯ），連写により得られる画像ファイルを格納するために連写フォルダが生成される（ステップ42）。
【００５２】
すでに連写フォルダが生成されていると（ステップ41でＹＥＳ），得られた画像データについて所定の画像処理および圧縮が行われて連写画像ファイルが生成される（ステップ43，44）。得られた連写画像ファイルがメモリ・カード17の連写フォルダに格納される（ステップ45）。連写により得られた画像ファイル分，メモリ・カード17の連写フォルダに格納されるまでステップ43〜45の処理が繰り返される（ステップ46）。
【００５３】
単写フラグがセットされていると（ステップ40），撮像により得られた一駒の画像データについて画像処理および画像圧縮が行われて単写画像ファイルが生成される（ステップ47，48）。生成された単写画像ファイルがメモリ・カード17の単写フォルダに格納される（ステップ49）。
【００５４】
図７は，他の処理手順を示すもので，ディジタル・スチル・カメラの処理手順を示すフローチャートである。
【００５５】
図５および図６に示す処理は，シャッタ・レリーズ・ボタンのＳ２オンの状態に応じて単写か連写かを判断し，単写と判断された場合には単写画像ファイルが単写フォルダに格納され，連写と判断された場合には連写画像ファイルが連写フォルダに格納されている。これに対して，図７に示す処理は，ユーザの設定に応じて，単写モードまたは連写モードにディジタル・スチル・カメラが設定され，その設定に応じて単写フォルダまたは連写フォルダが生成されるものである。このように生成された単写フォルダに単写画像ファイルが格納され，連写フォルダに連写画像ファイルが格納される。この場合，ディジタル・スチル・カメラには，単写モードおよび連写モードの設定スイッチ等が設けられているのはいうまでもない。
【００５６】
まず，ディジタル・スチル・カメラが連写モードに設定されているかどうかが確認される（ステップ51）。連写モードに設定されていると（ステップ51でＹＥＳ），連写フォルダの生成のために，連写フラグがセットされる（ステップ52）。シャッタ・レリーズ・ボタンの押下に応じて，被写体が撮像され，被写体像を表す画像データが，連写が終了するまで（シャッタ・レリーズ・ボタンが押されている間）順次，内蔵メモリ14に格納される（ステップ53，54）。
【００５７】
連写が終了すると（ステップ54でＹＥＳ），連写フラグが確認される（ステップ57）。連写フラグがセットされていると（ステップ57），メモリ・カード17内に連写フォルダが生成される（ステップ58）。内蔵メモリ14に一時的に記憶されている画像データが一駒分ずつ読み出されて信号処理および圧縮処理が行われ，連写画像ファイルが生成される。生成された連写画像ファイルが連写フォルダに格納される（ステップ59，60）。連写により得られた画像ファイルがすべて連写フォルダに格納されるまでステップ59および60の処理が繰り返される（ステップ61）。
【００５８】
ユーザによって単写モードに設定されていると（ステップ51でＮＯ），連写フラグはクリアされる（ステップ55）。シャッタ・レリーズ・ボタンの押下に応じて被写体が撮像され，被写体像を表す一駒の画像データが得られる。得られた画像データが内蔵メモリ14に一時的に記憶される（ステップ56）。
【００５９】
単写モードが設定され，連写フラグがクリアされていると（ステップ57），メモリ・カード17に単写フォルダが生成される（ステップ62）。画像データが内蔵メモリ14から読み出され，所定の信号処理が行われる（ステップ63）。画像データは圧縮されて単写画像ファイルが生成されて，メモリ・カード17内の単写画像フォルダに格納される（ステップ64）。
【００６０】
このように，ユーザによる連写モードまたは単写モードの設定に応じて連写フォルダまたは単写フォルダを生成し，得られた連写画像ファイルまたは単写画像ファイルを対応するフォルダに格納するようにしてもよい。このようにしても，図４に示すように単写または連写ごとにファイルを分類できる。
【００６１】
図８から図14は，他の実施例を示すものである。
【００６２】
この実施例においては，上述のように，連写により得られた複数駒分の画像データを連結してひとまとまりにつながった画像データとして，一つの画像ファイルに格納するものである。また，複数駒分の画像データから複数駒分のサムネイル画像データを生成し，複数駒分のサムネイル画像から一駒のサムネイル画像を表すデータを生成して，連結された画像データが格納された画像ファイルのヘッダ領域に格納するものである。
【００６３】
図８を参照して，連写により９駒の撮影画像ＹＣデータ１〜９が得られたものとする。これらの撮影画像ＹＣデータ１〜９は，それぞれ圧縮されて圧縮画像データ１〜９が得られる。これらの圧縮画像データ１〜９が順に連結され，１つの連結圧縮画像データが得られる。このようにして得られた連結圧縮画像データが画像ファイル（連結連写画像ファイル）の画像データ領域に記録される。
【００６４】
また，９駒の撮影画像ＹＣデータ１〜９によって表される９駒の被写体像のサムネイル画像（縮小被写体像）を表すサムネイル画像ＹＣデータ１〜９が９駒の撮影画像ＹＣデータ１〜９から生成される。生成されたサムネイル画像ＹＣデータ１〜９によって表される９駒のサムネイル画像が，水平方向に３駒垂直方向に３駒に配列されて一駒の画像のとなるインデックス画像Ｉｘを表すインデックス画像データが生成される。インデックス画像は，９駒のサムネイル画像が水平方向３駒垂直方向３駒配列されているのではなく，９個のサムネイル画像部分が水平方向に３個垂直方向に３個含まれている一駒の画像である。
【００６５】
このようなインデックス画像データが生成されると，上述したようにして生成された連結圧縮画像データを構成する９つの圧縮画像データ１〜９の画像データ領域におけるアドレス位置（記憶場所）を示す位置アドレス情報，および９つの圧縮画像データ１〜９のそれぞれの画像データのサイズ情報（駒サイズ情報）が生成される。生成された位置アドレス情報，各駒サイズ情報およびインデックス画像データは，上述した連結圧縮画像データが画像データ領域に記録されている画像ファイルのヘッダ領域に記録される。たとえば，連結圧縮画像データのうち，圧縮画像データ２が画像データ領域のアドレスad１からad２の間に記録されていることが駒位置アドレス情報から分かる。したがって，連結圧縮画像データのうち，アドレスad１からad２に記録されている画像データを読み出して再生することにより，圧縮画像データ２によって表される画像のみを表示できるようになる。連結圧縮画像データを構成する他の圧縮画像データについても同様に，その圧縮画像データのみを画像ファイルから読み取って再生できる。
【００６６】
図９は，メモリ・カードの他のディレクトリ構成の一部を示している。
【００６７】
ルート・ディレクトリの下層に画像フォルダが生成され，画像フォルダの下層に単写フォルダ１，２等が生成されている。単写フォルダ１には上述した単写画像ファイル１〜５が格納されている。また，単写フォルダ１には連結連写画像ファイル１〜３も格納されている。このように，連写フォルダを使用することなく，連写により得られた画像データを一つのファイルに格納することができる。
【００６８】
図10は，インデックス画像の他の生成方法を示している。
【００６９】
上述したインデックス画像においては，インデックス画像を構成するサムネイル画像部分の順序については特に言及されていないが，次に述べるインデックス画像においては，撮影順にサムネイル画像部分が配列されてインデックス画像が生成されるものである。
【００７０】
連写撮影順に，駒番号１から駒番号９までのサムネイル画像が得られる。すると，水平方向３駒垂直方向３駒のサムネイル画像部分から構成されるインデックス画像は，上段，中段，下段の順に，左から撮影順にしたがって得られるサムネイル画像が並ぶようにインデックス画像Ｉｘが生成される。インデックス画像Ｉｘが表示されたときに，撮影順にしたがったサムネイル画像部分を見ることができるようになる。
【００７１】
図11は，連結圧縮画像データの生成およびインデックス画像データの生成を含むディジタル・スチル・カメラの処理手順を示すフローチャートである。
【００７２】
まず，ディジタル・スチル・カメラが連写モードに設定されているかどうかが確認される（ステップ71）。連写モードは，モード・スイッチなどによりユーザによって設定されるものでもよいし，上述したように，シャッタ・レリーズ・ボタンのＳ２の状態にもとづいて設定（判断）するものでもよい。
【００７３】
連写モードが設定されていると判断されると（ステップ72），連写フラグがセットされ（ステップ72），被写体を撮像することにより得られた画像データが内蔵メモリ14に格納される（ステップ73）。連写が終了するまで，ステップ71〜73の処理が繰り返される（ステップ74）。
【００７４】
単写モードの設定など連写モードが設定されていないと判断されると（ステップ71でＮＯ），連写フラグがクリアされ（ステップ75），撮像により得られた画像データが内蔵メモリ14に格納される（ステップ76）。連写モードにもとづいて連写が行われ，その連写が終了して連写モードではないと判断された場合には，ステップ71の処理がスキップされ，連写フラグがクリアされないのはいうまでもない。
【００７５】
内蔵メモリ14への画像データの格納がすべて終了すると，連写フラグがセットされているかクリアされているかが確認される（ステップ77）。連写フラグがセットされている場合には（ステップ77），撮像により得られた画像データが内蔵メモリ14から読み出されて所定の信号処理が行われる（ステップ78）。連写により得られた駒数の画像データの読み出しおよび信号処理が繰り返される（ステップ79）。
【００７６】
連写により得られたすべての駒の画像データについて内蔵メモリ14からの読み出しが終了して，信号処理が終了すると（ステップ79でＹＥＳ），上述したように，連写により得られた駒数（必ずしも連写により得られた駒数でなく，９駒，12駒，16駒など所定の駒数でもよい）のサムネイル画像から構成される一駒のインデックス画像を表すデータが生成される（ステップ80）。つづいて，上述したように，連写により得られた画像データを圧縮した後に連結して得られる連結圧縮画像データが画像ファイル（連結連写画像ファイル）に格納された場合に，ヘッダ領域に格納されるヘッダ情報が生成される（ステップ81）。さらに，連結画像データが生成される（ステップ82）。生成されたインデックス画像データおよびヘッダ情報がヘッダ領域に，連結圧縮画像データが画像データ領域に格納された連結連写画像ファイルが生成され，その生成された連結連写画像ファイルがメモリ・カードに記録される（ステップ83）。
【００７７】
連写フラグがクリアされている場合には（ステップ77），単写により得られた画像データが内蔵メモリ14に格納されていると考えられる。内蔵メモリ14に格納されている画像データが読み取られて所定の信号処理が行われる（ステップ84）。信号処理が行われた画像データが圧縮されて画像ファイルの形式でメモリ・カードに記録される（ステップ85）。
【００７８】
図12は，インデックス生成処理手順（図11ステップ80の処理手順）を示すフローチャートである。
【００７９】
連写により得られた撮影画像ＹＣデータが取得される（ステップ91）。得られた撮影画像ＹＣデータが縮小処理されて上述した（図８参照），サムネイル画像ＹＣデータが得られる（ステップ92）。一駒のインデックス画像分のサムネイル画像ＹＣデータが得られるまでステップ91および92の処理が繰り返される（ステップ93）。
【００８０】
一駒のインデックス画像を生成するためのサムネイル画像ＹＣデータが得られると（ステップ93でＹＥＳ），得られたサムネイル画像ＹＣデータが撮影順に並び替えられる（ステップ94）。つづいて，上述したように，一駒のインデックス画像となるようにマルチ画面構成にサムネイル画像ＹＣデータの並び替えが行われる（ステップ95）。すると，一駒の画像としてＪＰＥＧ（Joint Photographic Experts Group）にもとづく圧縮が行われる（ステップ96）。
【００８１】
連写により，一駒のインデックス画像を生成できる撮影画像ＹＣデータより多い駒数の撮影画像ＹＣデータが得られていれば再びインデックス生成処理が行われる。また，上述の実施例では，一駒のインデックス画像を生成できるサムネイル画像ＹＣデータが得られるまで，サムネイル画像ＹＣデータの生成処理が行われているが，一駒のインデックス画像を生成できる駒数のサムネイル画像ＹＣデータが得られない場合（連写枚数が少ない場合など）には，得られた駒数のサムネイル画像ＹＣデータを用いてインデックス画像が生成されることとなろう。サムネイル画像が不足している部分についてはたとえば，空領域とされる。
【００８２】
図13は，ヘッダ情報の生成処理手順（図11ステップ81の処理手順）を示すフローチャートである。
【００８３】
圧縮画像データが連結されて画像ファイルの画像データ領域に格納された場合におけるそれぞれの圧縮画像データの記録位置を示す位置情報が得られ（算出され），撮影順にソーサされる（ステップ102）。そして，インデックス画像を構成するサムネイル画像の駒数の情報が付加され（ステップ103），連写画像の識別情報が付加されて（ステップ104），ヘッダ情報が作成される。
【００８４】
図14は，画像データの連結処理手順（図11ステップ82の処理手順）を示すフローチャートである。
【００８５】
一駒分の撮影画像ＹＣデータが取得され（ステップ111），ＪＰＥＧにもとづく圧縮が行われる（ステップ112）。つづいて，撮影情報が付加される（ステップ113）。インデックス画像を構成するサムネイル画像の駒数分（たとえば，９駒分）の圧縮画像データが得られるまでステップ111から112の処理が繰り返される（ステップ114）。
【００８６】
インデックス画像を構成するサムネイル画像の駒数分の圧縮画像データが得られると（ステップ114でＹＥＳ），得られた圧縮画像データが撮影順に並び替えられる（ステップ115）。それぞれの圧縮画像データのデータ量が算出され（ステップ116），圧縮画像データが撮影順に連結されて画像ファイルの画像データ領域に記録された場合のそれぞれの圧縮画像データの記録位置を示す画像位置情報が作成される（ステップ117）。９駒分の圧縮画像データが撮影順に連結されて，画像ファイルの画像データ領域に格納される（ステップ118）。また，インデックス画像データおよびヘッダ情報が画像ファイルのヘッダ領域に格納される（ステップ119，120）。
【００８７】
図15は，他の実施例を示すもので，連写により得られた複数駒の被写体像を圧縮する場合の処理手順を示すフローチャートである。
【００８８】
この実施例においては，連写により複数駒の被写体像が得られた場合には，連写により得られた複数駒の被写体像のうち，最初の一駒の被写体像を用いて圧縮に必要なパラメータが算出される。算出されたパラメータを用いて残りの駒の被写体像の圧縮処理が行われる。すべての駒ごとに圧縮パラメータを算出する必要が無いので，圧縮に要する時間を短縮できる。
【００８９】
最初の駒の被写体像を表す画像データが選択されてプリ圧縮処理が行われる（ステップ131，132）。プリ圧縮処理により，固定長化パラメータが算出され，レジスタに一時的に記憶される（ステップ133）。算出された固定長化パラメータを用いて，最初の駒の被写体像を表す画像データが圧縮（本圧縮）される（ステップ134）。本圧縮により得られた圧縮画像データが内蔵メモリ14に格納される（ステップ135）。
【００９０】
連写により複数駒の被写体像が得られている場合には（ステップ136でＹＥＳ），レジスタから固定長化パラメータが読み出される（ステップ137）。次の駒の被写体像を表す画像データが選択され（ステップ138），選択された画像データが読み出された固定長化パラメータを用いて圧縮（本圧縮）される（ステップ139）。圧縮された画像データがメモリに格納される（ステップ140）。連写により得られたすべての被写体像を表す画像データについてステップ138〜140の処理が繰り返される（ステップ141）。
【００９１】
内蔵メモリ14に格納されたすべての画像データがメモリ・カード17に記録されることとなる（ステップ142）。
【００９２】
連写の場合，被写体像が全体として余り変わらないことが多いので，最初の駒の被写体像において算出されたパラメータを用いて残りの駒の被写体像を表す画像データについて圧縮処理を行なうことができる。
【００９３】
図16および図17は，他の実施例を示すもので，再生処理に関するものである。
【００９４】
図16は，ディジタル・スチル・カメラの背面図である。
【００９５】
ディジタル・スチル・カメラの上部の右側には，電源ボタン151およびレリーズ・ボタン152が設けられている。
【００９６】
ディジタル・スチル・カメラの背面の左上には光学的ビュー・ファインダ153が形成されている。また，ディジタル・スチル・カメラの背面の左側部分のほぼ全体に液晶表示画面160が形成されている。液晶表示画面160の右側には，四方に矢印が押下可能に形成されている十字ボタン155が設けられている。十字ボタン155の右上には，撮像モード，再生モードなどのモードを設定するモード・ダイアル154が設けられている。十字ボタン155の下にはメニュー／実行ボタン156および戻りボタン157が設けられている。ディジタル・スチル・カメラには図16に示されているボタン以外のボタンも設けられているが，図示が省略されている。
【００９７】
液晶表示画面160には，上述したインデックス画像161が表示されている。インデックス画像160は，一駒の画像であるが，上述のように９つのサムネイル画像部分162が含まれている。サムネイル画像部分162は，撮影順に並んでいるが，必ずしも撮影順に並んでなくともよい。９つのサムネイル画像部分162のうちの一つのサムネイル画像部分が囲まれるようにカーソル163が表示されている。このカーソルは，十字ボタン155に形成されている矢印の押下に応じて９つのサムネイル画像部分162のうちのいずれかのサムネイル画像部分162に移動自在である。インデックス画像160は，一駒の画像であるが，インデックス画像を構成するサムネイル画像部分162のそれぞれの大きさおよび位置ならびに個数はあらかじめ定められているため，いずれかのサムネイル画像部分162を移動自在にカーソル163が囲むことができる。
【００９８】
メニュー／実行ボタン156が押されると，カーソル163によって囲まれているサムネイル画像部分162によって表される被写体像に対応する画像データが読み取られる。読み取られた画像データによって表される被写体像が表示画面160上に表示される。
【００９９】
図17は，ディジタル・スチル・カメラの再生処理手順を示すフローチャートである。
【０１００】
ディジタル・スチル・カメラにメモリ・カードが装填され，再生モードが選択されると，表示画面160には，メモリ・カードに格納されている画像ファイルの駒番号が表示される。表示された駒番号の中から再生すべき画像ファイルの駒番号が指定される（ステップ171）。すると，指定された駒番号をもつ画像ファイルのヘッダ領域に記録されているヘッダ情報が読み取られる（ステップ172）。
【０１０１】
ヘッダ領域に，上述したインデックス画像，連結圧縮画像データの位置情報（連結圧縮画像データが格納されていることを示す情報でもよい）が記録されていると，画像ファイルには連写により得られた画像（連結圧縮画像データ）が記録されていると判断される。
【０１０２】
選択された画像ファイルに連写により得られた画像が記録されていると判断されると（ステップ173でＹＥＳ），ヘッダ領域に記録されているインデックス画像データが読み取られる。インデックス画像データによって表されるインデックス画像がディジタル・スチル・カメラの背面に形成されている液晶表示画面160に表示される（ステップ174）。その後，インデックス画像を構成するサムネイル画像部分のいずれかにカーソルが表示される（ステップ135）。
【０１０３】
ユーザによってメニュー／実行ボタンが押されると，カーソルによって囲まれているサムネイル画像部分が選択されたこととなる（ステップ176）。すると，選択されたサムネイル画像部分によって表される被写体像を表す圧縮画像データの記憶場所が検出される（ステップ177）。この記憶場所は，上述したように，インデックス画像データが記録されているヘッダ領域内に格納されているのはいうまでもない。読み出された記憶場所に記憶されている圧縮画像データが画像ファイルから読み出され（ステップ178），伸張される（ステップ179）。伸張された画像データによって表される被写体像が液晶表示画面160上に表示されることとなる。
【０１０４】
選択された画像ファイルに連写により得られた画像が記録されていないと判断されると（ステップ173でＮＯ），その選択された駒番号をもつ画像ファイルに格納されている画像データが読み取られ（ステップ180），伸張される（ステップ181）。伸張された画像データによって表される被写体像が表示画面160上に表示される（ステップ182）。
【図面の簡単な説明】
【０１０５】
【図１】ディジタル・スチル・カメラの電気的構成を示すブロック図である。
【図２】シャッタ・レリーズ・ボタンの押し下げ時のタイム・チャートである。
【図３】シャッタ・レリーズ・ボタンの押し下げ時のタイム・チャートである。
【図４】メモリ・カードのディレクトリ構成を示している。
【図５】ディジタル・スチル・カメラの処理手順の一部を示すフローチャートである。
【図６】ディジタル・スチル・カメラの処理手順の一部を示すフローチャートである。
【図７】ディジタル・スチル・カメラの処理手順を示すフローチャートである。
【図８】連結圧縮画像データとインデックス画像データとの生成の仕方を示す。
【図９】メモリ・カードのディレクトリ構成を示している。
【図１０】インデックス画像の生成の仕方を示している。
【図１１】ディジタル・スチル・カメラの処理手順を示すフローチャートである。
【図１２】インデックス画像データの生成処理手順を示すフローチャートである。
【図１３】ヘッダ情報生成処理手順を示すフローチャートである。
【図１４】画像連結処理手順を示すフローチャートである。
【図１５】画像の圧縮処理手順を示すフローチャートである。
【図１６】ディジタル・スチル・カメラの背面図である。
【図１７】ディジタル・スチル・カメラの再生処理手順を示すフローチャートである。
【符号の説明】
【０１０６】
２  ボタン類
５  撮像素子
８  ＭＰＵ
17  メモリ・カード
【図１】
2007243624.tif 000003
【図２】
2007243624.tif 000004
【図３】
2007243624.tif 000005
【図４】
2007243624.tif 000006
【図５】
2007243624.tif 000007
【図６】
2007243624.tif 000008
【図７】
2007243624.tif 000009
【図８】
2007243624.tif 000010
【図９】
2007243624.tif 000011
【図１０】
2007243624.tif 000012
【図１１】
2007243624.tif 000013
【図１２】
2007243624.tif 000014
【図１３】
2007243624.tif 000015
【図１４】
2007243624.tif 000016
【図１５】
2007243624.tif 000017
【図１６】
2007243624.tif 000018
【図１７】
2007243624.tif 000019